(57)【要約】【課題】耐荷重性を確保しつつモータの駆動音を低減させる。上下の振動のみならずモータから三次元に伝わる音を減衰すると共に高周波域だけでなく中〜低周波域の振動を減衰する。耐荷重性と免振性とを高める。【解決手段】下方が開放された外箱２の天板３側にモータ４を取り付けた電動昇降棚１の免振構造において、モータ４が取り付けられるモータベース７を長尺に形成し、モータベース７の長手方向Ｅの端部７ａに取付ベース８を配置し、モータベース７の端部７ａと取付ベース８の下片８ａとの間に山形状の免振用ゴム９を挿入し、免振用ゴム９の頂部９ａをモータベース７の端部７ａに接続すると共に免振用ゴム９の裾部９ｂを取付ベース８の下片８ａに接続し、取付ベース８の上片８ｃを外箱２の天板３に接続する。【選択図】　　　　図１
2004073622.tif 000002
【特許請求の範囲】
【請求項１】
下方が開放された外箱の天板側にモータを取り付け、モータにより駆動される昇降索により棚部を外箱内に格納した格納位置から外箱の下方に下降した物品出し入れ位置まで昇降自在とした電動昇降棚であって、モータが取り付けられるモータベースを長尺に形成し、該モータベースの長手方向の端部に取付ベースを配置し、モータベースの端部と取付ベースの下片との間に山形状の免振用ゴムを挿入し、免振用ゴムの頂部をモータベースの端部に接続すると共に免振用ゴムの裾部を取付ベースの下片に接続し、取付ベースの上片を外箱の天板に接続してなることを特徴とする電動昇降棚の免振構造。
【請求項２】
取付ベースは、下片と上片とが垂直片を介して略Ｚ形に一体形成されていることを特徴とする請求項１記載の電動昇降棚の免振構造。
【請求項３】
取付ベースは、下片と上片とがＵ字片を介して略Ｕ形に一体形成されていることを特徴とする請求項１記載の電動昇降棚の免振構造。
【請求項４】
モータベースの端部における短手方向の両側に、免振用ゴムが落下するのを防止するための垂下部を設けたことを特徴とする請求項１又は請求項２又は請求項３記載の電動昇降棚の免振構造。
【発明の詳細な説明】
【０００１】
【発明の属する技術分野】
本発明は、キッチンのウォールユニットなどの収納庫に収納される電動昇降食器乾燥機等の電動昇降棚の免振構造に関し、詳しくはモータの振動を減衰させる技術に関するものである。
【０００２】
【従来の技術】
従来よりこの種の電動昇降棚１として、図６に示すように、下方が開放された外箱２の天板３に短尺の金属板からなるモータベース７’を取り付け、モータ４により駆動される昇降索５により棚部６を外箱２内に格納した格納位置から外箱２の下方に下降した物品出し入れ位置まで昇降自在とし、棚部６の格納状態において温風を供給して乾燥を図る電動昇降食器乾燥機が知られている。なお外箱２の内部上部にはファンとヒータを備えた温風供給部（図示せず）が設置され、更に、滑車１４と巻き取りドラム１３とモータ４を備えた昇降機構部が設置され、温風吹出し口を備えたカバー（図示せず）にて囲繞されて湿気等が入らないように気密が保たれるようになっている。また棚部６にはモータ４からの一対の昇降索５が接続され、モータ４によって棚部６を昇降することができるようにしている。モータ４は短尺の金属板からなるモータベース７’に取り付けられ、このモータベース７’が外箱２の天板３に対して固定されている。
【０００３】
この種の電動昇降棚１において騒音となる原因は、モータ４の駆動時の振動が外箱２の天板３に伝わり、外箱２全体が共鳴することにある。
【０００４】
そこで、従来では、外箱２内で共振が発生するのを防止する対策として、図７に示すように、モータ４が取り付けられるモータベース７’の両端部をそれぞれＵ字形状に折り曲げ、このＵ字部分１０を外箱２の天板３に固定するようにしていた。
【０００５】
【発明が解決しようとする課題】
ところが従来の短尺の金属板からなるモータベース７’は、棚部６の最大積載荷重（棚部６とその内容物）に耐えるために、剛体に近く、このためＵ字部分１０のばね定数を振動を減衰させるのに十分な値まで小さくすることができなかった。つまり棚部６の最大積載荷重（例えば４０ｋｇ）に耐えられるようにばね定数を８５０Ｎ／ｍｍと大きくしてあり、このため、高周波域の振動は減衰できても、低周波域（特に３０Ｈｚ付近）の振動は十分に吸収できなかった。ちなみにばね定数を小さくすると耐荷重性が低下するという別の問題が生じる。例えば図７に示すように、棚部６の荷重が巻き取りドラム１３の矢印Ｇ１，Ｇ２の方向にかかると、モータ４には水平方向Ａ１〜Ａ４に回転させる力及び垂直方向Ｂ１，Ｂ２に回転させる力が働く。このとき従来はモータ４からモータベース７’のＵ字部分１０（天板３と固定される部分）までの距離Ｌが短いために、モータベース７’は上記水平及び垂直の回転力をもろに受けてしまう。例えば、棚部６の荷重が４０ｋｇｆの場合、垂直方向Ｂ１，Ｂ２に回転させる力は１．４６〜１．８３ｋｇｆであり、垂直方向の許容荷重（８ｋｇｆ）はクリアできるが、一方、水平方向Ａ１〜Ａ４に回転させる力は８．０９〜８．７７ｋｇｆとなり、せん断方向の許容荷重（４ｋｇｆ）を超えてしまう。このため従来では、せん断方向の許容荷重をクリアするためには、モータベース７’のばね定数を小さくすることができないという問題があった。しかも、従来のモータベース７’はＵ字部分１０において上下の振動は吸収できても、モータ４から三次元に伝わる音はほとんど減衰することができなかった。この結果、従来では、耐荷重性と免振性の両方を同時に高めることはできず、そのうえモータ４から三次元に伝わる音の減衰効果や、低周波（例えば３０Ｈｚ）域の減衰効果を得ることができず、騒音を十分に低減することは困難であった。
【０００６】
本発明は、上記の従来例の問題点に鑑みて発明したものであって、その目的とするところは、耐荷重性を確保しつつモータの駆動音を低減させることができ、上下の振動のみならずモータから三次元に伝わる音を減衰できると共に高周波域だけでなく中〜低周波域の振動を減衰でき、耐荷重性と免振性とに優れた電動昇降棚の免振構造を提供することにある。
【０００７】
【課題を解決するための手段】
上記課題を解決するために本発明にあっては、下方が開放された外箱２の天板３側にモータ４を取り付け、モータ４により駆動される昇降索５により棚部６を外箱２内に格納した格納位置から外箱２の下方に下降した物品出し入れ位置まで昇降自在とした電動昇降棚の免振構造において、モータ４が取り付けられるモータベース７を長尺に形成し、該モータベース７の長手方向Ｅの端部７ａに取付ベース８を配置し、モータベース７の端部７ａと取付ベース８の下片８ａとの間に山形状の免振用ゴム９を挿入し、免振用ゴム９の頂部９ａをモータベース７の端部７ａに接続すると共に免振用ゴム９の裾部９ｂを取付ベース８の下片８ａに接続し、取付ベース８の上片８ｃを外箱２の天板３に接続してなることを特徴としており、このように構成することで、モータベース７と天板３とは免振用ゴム９のみでつながっており、モータベース７が直接、外箱２の天板３に触れることがなく、従って、モータ４からの三次元的な振動も、すべてが免振用ゴム９を介してからでないと天板３に伝わらない構造となり、よって大きな免振効果が得られる。しかも、免振用ゴム９は山形状をしているため、垂直の振動は圧縮方向のばね力で減衰され、水平の振動はせん断方向のばね力で減衰される結果、免振用ゴム９によって上下の振動のみならずモータ４から三次元に伝わる音も効果的に減衰できるようになる。さらに、免振用ゴム９のばね定数を小さくすることによって、高周波域のみならず、低周波域（例えば３０Ｈｚ付近）の振動も十分に減衰できるようになり、その一方で、長尺のモータベース７を用いることで、モータ４から免振用ゴム９までの距離を大きく確保でき、モーメント的にも低減できるようになり、垂直方向の許容荷重だけでなく、せん断方向の許容荷重も同時にクリアできる結果、耐荷重性と免振性の両方を高めることができるようになる。
【０００８】
また上記取付ベース８は、下片８ａと上片８ｃとが垂直片８ｂを介して略Ｚ形に一体形成されているのが好ましく、この場合、取付ベース８を略Ｚ形に形成することで略Ｕ形のものと比較してばね定数が小さく、低周波振動をより効果的に減衰できるようになる。
【０００９】
また上記取付ベース８は、下片８ａと上片８ｃとがＵ字片８ｄを介して略Ｕ形に一体形成されているのが好ましく、この場合、略Ｕ形の取付ベース８は略Ｚ形のものと比較してばね定数が大きいため、高周波振動をより効果的に減衰できるようになる。
【００１０】
また上記モータベース７の端部７ａにおける短手方向Ｆの両側に、免振用ゴム９が落下するのを防止するための垂下部１１を設けるのが好ましく、この場合、振動等によって仮りに免振用ゴム９とモータベース７との固定が外れた場合でも、モータベース７の短手方向Ｆの両側の垂下部１１によって免振用ゴム９のずれが防止され、外れた免振用ゴム９がモータユニットＭ内へ落下するのを防止できると共に、垂下部１１によって長尺のモータベース７に反りの発生等を防止できる。
【００１１】
【発明の実施の形態】
以下、本発明を添付図面に示す実施形態に基づいて説明する。
【００１２】
本実施形態の電動昇降棚１は、図６で示すように、下方が開放された外箱２の天板３にモータ４を取り付け、モータ４の巻き取りドラム１３により駆動される昇降索５により棚部６を外箱２内に格納した格納位置から外箱２の下方に下降した物品出し入れ位置まで昇降自在とした電動昇降食器乾燥機を構成しており、モータベース７の免振構造以外は従来と同様である。なお本発明の電動昇降棚は電動昇降食器乾燥機に限られるものではない。
【００１３】
本例では、モータ４が取り付けられるモータベース７は、図１に示すように、長尺の金属板（例えば５００ｍｍ）で構成されている。モータ４はモータベース７の中央下方に取り付けられ、モータベース７の長手方向Ｅの両端部には一対の取付ベース８が配置されている。一対の取付ベース８は左右対称的に配置されており、本例では各取付ベース８は、短尺の金属板を折り曲げて下片８ａと垂直片８ｂと上片８ｃとを備えた略Ｚ形に一体形成されている。
【００１４】
モータベース７の端部７ａと取付ベース８の下片８ａとの間には、複数の免振用ゴム９が挿入されている。ここでは、独立した２個の免振用ゴム９を、左右の取付ベース８に各々配置している。つまり、計４個の免振用ゴム９が用いられる。各免振用ゴム９はそれぞれ山形状に形成されており、ネジ孔９ｅを備えた頂部９ａがモータベース７の端部７ａに対してネジで固定され、裾部９ｂに設けたフランジ９ｃが取付ベース８の下片８ａに対してネジで固定されると共に、取付ベース８の上片８ｃは外箱２の天板３（図６）に対してネジで固定される。これにより、モータベース７は、免振用ゴム９のみを介して取付ベース８に接続され、この取付ベース８が天板３に接続された構造となっている。
【００１５】
さらに図２に示すように、モータベース７の端部７ａにおける短手方向Ｆの両側に、垂下部１１がそれぞれ設けられている。各垂下部１１は、振動等によって仮りに免振用ゴム９とモータベース７との固定が外れた場合には、免振用ゴム９がモータユニットＭ内に落下するのを防止する働きをする。
【００１６】
しかして、モータベース７と天板３とは免振用ゴム９のみでつながっており、モータベース７が直接、外箱２の天板３に触れることがない。従って、モータ４からの三次元的な振動も、すべてが免振用ゴム９を介してからでないと天板３に伝わらない構造となり、よって大きな免振効果が得られる。しかも、免振用ゴム９は山形状をしているため、垂直の振動は圧縮方向のばね力で減衰され、水平の振動はせん断方向のばね力で減衰される。従って、免振用ゴム９によって上下の振動のみならずモータ４から三次元に伝わる音も効果的に減衰できるようになっている。
【００１７】
一般的に、モータ４から発生する振動数（ｆ）と、免振用ゴム９のばね定数Ｋ（Ｎ／ｍｍ）、固有振動数（ｆｎ）との間には、以下の式１、式２の関係がある。
【００１８】
【式１】
2004073622.tif 000003
【００１９】
上記式１中のｆはモータ７から発生する振動数（Ｈｚ）、ｆｎは免振用ゴム９の固有振動数（Ｈｚ）である。
【００２０】
【式２】
2004073622.tif 000004
【００２１】
上記式１中のｍはモータ７の重量（ｋｇ）、Ｋは免振用ゴム９のばね定数（Ｎ／ｍｍ）である。
【００２２】
ここで、低周波（３０Ｈｚ）域の免振を行なうために、ばね定数を小さくする必要がある。本例の免振用ゴム９のばね定数は３５Ｎ／ｍｍであり、従来のモータベース７のＵ字部分１０のばね定数（８５０Ｎ／ｍｍ）よりも小さくなっている。このようにばね定数を小さくすることによって、高周波域のみならず、低周波域（例えば３０Ｈｚ付近）の振動も十分に減衰できるようになる。なお、ばね定数を小さくすると、耐荷重性が低下するが、そこで本発明では、長尺の金属板でモータベース７を構成しているため、モータ４から免振用ゴム９までの距離を大きく確保でき、モーメント的にも低減できる。実際にはモータベース７の長さＬ１を５００ｍｍとしており、この場合、図３に示すように、棚部６の荷重（例えば４０ｋｇｆ）がモータ４に伝わると、モータ４にかかる回転力は水平方向Ａ１’〜Ａ４’　で１．２９〜２．０３ｋｇｆ、垂直方向Ｂ１’，Ｂ２’　で２．６７〜３．９２ｋｇｆとなり、この結果、垂直方向の許容荷重（８ｋｇｆ）だけでなく、せん断方向の許容荷重（４ｋｇｆ）をも同時にクリアできることとなる。実際に、免振用ゴム９にかかる荷重は、最大積載時（例えば４０ｋｇ）で、１．８ｋｇｆであり、ゴムのせん断方向の許容値４ｋｇｆをクリアすることができる。実験結果を以下の表１に示す。
【００２３】
【表１】
2004073622.tif 000005
【００２４】
この結果、本発明では耐荷重性を向上させることができると同時に、免振用ゴム９のばね定数を小さくすることが可能となり、この結果、耐荷重性と免振性の両方を同時に確保できるようになる。
【００２５】
また本例では、取付ベース８は略Ｚ形に形成されているので、免振用ゴム９による低周波域での免振性を保ちながら、取付ベース８自体の免振性も加えることができる。つまり、略Ｚ形の取付ベース８は略Ｕ形のものと比較してばね定数が小さいため、中〜低周波振動が効果的に減衰されるようになり、低周波域での免振効果をより高めることができる。
【００２６】
さらに本例では、モータベース７の端部７ａにおける短手方向Ｆの両側に、免振用ゴム９が落下するのを防止するための垂下部１１を設けているので、振動等によって仮りに免振用ゴム９とモータベース７との固定が外れた場合でも、モータベース７の短手方向Ｆの両側の垂下部１１によって免振用ゴム９のずれが防止され、また取付ベース８によって左右方向のずれを防止できるので、外れた免振用ゴム９がモータユニットＭ内へ落下するのを防止できる。しかも、垂下部１１によって長尺のモータベース７に反りの発生を防止でき、さらにモータベース７の強度向上も図ることができる。
【００２７】
そのうえ、２個の免振用ゴム９をモータベース７の長手方向Ｅの両端部にそれぞれ配置し、且つその２個の免振用ゴム９をモータベース７の短手方向Ｆに配列したので、バランスのよい免振性が得られると共に、各免振用ゴム９の頂部９ａを個別にモータベース７の端部７ａに連結し、各免振用ゴム９の裾部９ｂを個別に取付ベース８の下片８ａに連結し、取付ベース８の上片８ｃを外箱２の天板３にそれぞれ結合するだけで、耐荷重性と免振性とに優れた免振構造を簡単に製造できるという利点もある。
【００２８】
なお、前記実施形態では取付ベース８を略Ｚ形としたが、他の実施形態として、図４、図５に示すように、取付ベース８を略Ｕ形に形成してもよい。なおモータベース７と天板３とが免振用ゴム９のみでつながっている構成は前記図１の実施形態と同様である。本例の取付ベース８は、免振用ゴム９の裾部９ｂのフランジ９ｃがネジ固定される下片８ａと、天板３にネジ固定される上片８ｃとが、Ｕ字片８ｄを介して一体形成されている。このように取付ベース８を略Ｕ形に形成することで、免振用ゴム９による低周波域での免振性を保ちながら、取付ベース８自体の免振性も加えることができる。つまり、略Ｕ形の取付ベース８は略Ｚ形のものと比較してばね定数が大きいため、高周波振動がより効果的に減衰されることとなる。これにより、モータ４の共鳴音（１ｋ〜２ｋ）を低減することができ、振動伝達を防止できるものである。また、モータベース７の端部７ａにおける短手方向Ｆの両側に、免振用ゴム９が落下するのを防止するための垂下部１１を設けているので、前記実施形態と同様、振動等によって仮りに免振用ゴム９とモータベース７との固定が外れた場合でも、免振用ゴム９は前後方向の垂下部１１に当り、また右方向（或いは左方向）の取付ベース８のＵ字片８ｄに当ることによって、外れた免振用ゴム９がモータユニットＭ内へ落下するのを防止できるものである。
【００２９】
【発明の効果】
上述のように請求項１記載の発明にあっては、下方が開放された外箱の天板側にモータを取り付け、モータにより駆動される昇降索により棚部を外箱内に格納した格納位置から外箱の下方に下降した物品出し入れ位置まで昇降自在とした電動昇降棚の免振構造において、モータが取り付けられるモータベースを長尺に形成し、該モータベースの長手方向の端部に取付ベースを配置し、モータベースの端部と取付ベースの下片との間に山形状の免振用ゴムを挿入し、免振用ゴムの頂部をモータベースの端部に接続すると共に免振用ゴムの裾部を取付ベースの下片に接続し、取付ベースの上片を外箱の天板に接続してなるので、モータベースと天板とは免振用ゴムのみでつながっており、モータベースが直接、外箱の天板に触れることがなく、従って、モータからの三次元的な振動も、すべてが免振用ゴムを介してからでないと天板に伝わらない構造となり、よって大きな免振効果が得られる。しかも、免振用ゴムは山形状をしているため、垂直の振動は圧縮方向のばね力で減衰され、水平の振動はせん断方向のばね力で減衰される結果、免振用ゴムによって上下の振動のみならずモータから三次元に伝わる音も効果的に減衰できるようになる。しかも、免振用ゴムのばね定数を小さくすることによって、高周波域のみならず、低周波域（例えば３０Ｈｚ付近）の振動も十分に減衰できるようになり、その一方で、長尺のモータベースを用いることで、モータから免振用ゴムまでの距離を大きく確保でき、モーメント的にも低減できるようになり、垂直方向の許容荷重だけでなく、せん断方向の許容荷重も同時にクリアでき、これにより、耐荷重性を向上させることができると同時に免振用ゴムのばね定数を小さくすることが可能となり、この結果、耐荷重性と免振性の両方を同時に高めることができる。
【００３０】
また請求項２記載の発明は、請求項１記載の効果に加えて、取付ベースは、下片と上片とが垂直片を介して略Ｚ形に一体形成されているので、免振用ゴムによる免振効果を高めながら、取付ベース自体の免振性も加えることができる。しかも取付ベースを略Ｚ形に形成することで略Ｕ形のものと比較してばね定数が小さく、中〜低周波振動をより効果的に減衰できるものである。
【００３１】
また請求項３記載の発明は、請求項１記載の効果に加えて、取付ベースは、下片と上片とがＵ字片を介して略Ｕ形に一体形成されているので、免振用ゴムによる免振性を保ちながら、取付ベース自体の免振性も加えることができる。つまり、略Ｕ形の取付ベースは略Ｚ形のものと比較してばね定数が大きいため、高周波振動をより効果的に減衰できるものである。
【００３２】
また請求項４記載の発明は、請求項１記載の効果に加えて、モータベースの端部における短手方向の両側に、免振用ゴムが落下するのを防止するための垂下部を設けたので、振動等によって仮りに免振用ゴムとモータベースとの固定が外れた場合でも、モータベースの短手方向の両側の垂下部によって免振用ゴムのずれが防止され、また取付ベースでもずれが防止されるので、外れた免振用ゴムがモータユニット内へ落下するのを防止できる。しかも、垂下部によって長尺のモータベースに反りの発生を防止でき、さらにモータベースの強度向上も図ることができる。
【図面の簡単な説明】
【図１】本発明の実施形態の一例を示す斜視図である。
【図２】図１のＮ−Ｎ線断面図である。
【図３】同上のモータベースに加わる垂直、水平の回転力の説明図である。
【図４】本発明の他の実施形態の斜視図である。
【図５】同上の側面図である。
【図６】従来例の電動昇降食器乾燥機の正面図である。
【図７】従来例のモータベースに加わる垂直、水平の回転力の説明図である。
【符号の説明】
１　電動昇降棚
２　外箱
３　天板
４　モータ
５　昇降索
６　棚部
７　モータベース
７ａ　長手方向の端部
８　取付ベース
８ａ　下片
８ｂ　垂直片
８ｃ　上片
８ｄ　Ｕ字片
９　免振用ゴム
９ａ　頂部
９ｂ　裾部
１１　垂下部
Ｅ　長手方向
Ｆ　短手方向
【図１】
2004073622.tif 000006
【図２】
2004073622.tif 000007
【図３】
2004073622.tif 000008
【図４】
2004073622.tif 000009
【図５】
2004073622.tif 000010
【図６】
2004073622.tif 000011
【図７】
2004073622.tif 000012